(57)【要約】【課題】外観（外部デザイン）の画一感が生じないユニット建物及び外構の外観構築方法を提供すること。【解決手段】ユニット建物及び外構の外観構築方法は、複数の建物ユニット（１ＦＵ１〜１ＦＵ３，２ＦＵ１〜２ＦＵ３）を並設及び積層して建物（ユニット建物１５）を構築する際に、前記建物（ユニット建物１５）の正面の少なくとも両側に配設され且つ前記正面の両端から側方に突出するパネル製の外構部材（バルコニー９，ポーチ１１，パーゴラ８等）により前記建物の下階と上階との接合部（ＣＬＰ１、ＣＬＰ３）を隠すようにしている。【選択図】図１
2008095360.tif 000002
【特許請求の範囲】
【請求項１】
複数の建物ユニットを並設及び積層して建物を構築する際に、前記建物の正面の少なくとも両側に配設され且つ前記正面の両端から側方に突出するパネル製の外構部材により前記建物の下階と上階との接合部を隠すことを特徴とするユニット建物及び外構の外観構築方法。
【発明の詳細な説明】
【技術分野】
【０００１】
この発明は、ユニット建物及び外構の外観構築方法に関するものである。
【背景技術】
【０００２】
従来の建物には、複数の建物ユニットを並設したり、或いは並設及び積層したりすることにより構築されたユニット建物が知られている（例えば、特許文献１〜３参照）。
【０００３】
このようなユニット建物を構築するユニット工法の場合、建物ユニットには輸送上の関係でサイズや形状に制限がある。実質的には、建物ユニットの大半が輸送の関係上箱形形状になっているのが現状である。
【特許文献１】特公昭６１−３９４６１号公報
【特許文献２】特公昭６２−２８２６４号公報
【特許文献３】実公平７−１６８４８号公報
【発明の開示】
【発明が解決しようとする課題】
【０００４】
しかしながら、従来のユニット建物は、正面の両側において下階と上階との接合部が明確に把握できるような外観を呈しているため、建物と敷地形状とのフィット感が不足したり、窓やバルコニー・ポーチ等の外構の位置が建物ユニットの形状に応じて限定されたり、外観（外部デザイン）の画一感があった。
【０００５】
そこで、この発明は、外観（外部デザイン）の画一感が生じないユニット建物及び外構の外観構築方法を提供することを目的とするものである。
【課題を解決するための手段】
【０００６】
この目的を達成するため、請求項１の発明は、複数の建物ユニットを並設及び積層して建物を構築する際に、前記建物の正面の少なくとも両側に配設され且つ前記正面の両端から側方に突出するパネル製の外構部材により前記建物の下階と上階との接合部を隠すようにしたユニット建物及び外構の外観構築方法としたことを特徴とする。
【発明の効果】
【０００７】
この構成によれば、少なくとも建物の正面から見た外観（外部デザイン）に画一感が生じないので、建物と敷地形状とのフィット感が向上する。
【発明を実施するための最良の形態】
【０００８】
以下、この発明の実施の形態を図面に基づいて説明する。
[構成]
図２は、この発明に係るユニット建物及び外構の構築方法に用いる都度設計生産システムを示したものである。
【０００９】
この図２において、都度設計生産システムは、設計室Ｄｒｍに設けられ且つ演算制御回路１ａを備えるパソコン１と、演算制御回路１ａに接続された液晶表示装置等のモニター（表示手段）２と、演算制御回路１ａに接続されたハードディスク（情報記録再生手段）１ｂと、演算制御回路１ａに接続されたマウス（入力手段、操作手段）３と、演算制御回路１ａに接続されたキーボード（入力手段、操作手段）４と、演算制御回路１ａにイントラネット又はインターネット等の通信手段を介して接続された生産工場Ｆの通信端末５を有する。
【００１０】
ハードディスク１ｂには、図３に示したような都度設計生産プログラム（都度設計手段）６がインストールされている。この都度設計生産プログラム６は、ユニット建物の外観意匠を作図するための建物デザインプログラム（建物デザイン手段）６Ａと、ユニット建物の周囲の外構の外観意匠をユニット建物の外観意匠とマッチングさせて敷地上に作図するための外構デザインプログラム（外構デザイン手段）６Ｂと、ユニット建物及び外構に加えて街並みを作図する環境デザインプログラム（環境デザイン手段）６Ｃを有する。
【００１１】
建物デザインプログラム（建物デザイン手段）６Ａは、ユニット建物の外観を構築するための多数の建物ユニットの絵（又は図）を建物用外観部品として有する。この多数の建物用外観部品は、色彩やデザインを異ならせたものが多数用意されている。そして、この建物用外観部品は、マウス３やキーボード４等によりモニター２上で選択して、モニター２の敷地図上に配置できるようになっている。このようにして、図１（ａ）に示したユニット建物外観７が作成される。
【００１２】
尚、建物デザインプログラム（建物デザイン手段）６Ａは、予め組み立てられた多数のユニット建物の外観を部品として有する。また、建物デザインプログラム６Ａは、建物用外観部品に対応する寸法データも有している。
【００１３】
また、外構デザインプログラム（外構デザイン手段）６Ｂは、門，塀，パーゴラ，回廊，ポーチ，バルコニー，車庫等の外構用部品を多数有する。この外構用部品は、色彩やデザインを異ならせたものが多数用意されている。そして、多数の外構用部品は、ユニット建物外観７の外観に合うものをマウス３やキーボード４等によりモニター２上で選択して、モニター２の敷地図上にユニット建物外観７に重ねて配置できるようになっている。図１（ｂ）は、このようにして、ユニット建物外観７に重ねてパーゴラ８，バルコニー９，車庫１０，ポーチ１１等の外構を配置した例を示したものである。
【００１４】
尚、外構デザインプログラム（外構デザイン手段）６Ｂは、多数の外構用部品を備えている以外に、マウス３やキーボード４等により外構を作図することが可能な作図プログラムを有している。
【００１５】
更に、環境デザインプログラム（環境デザイン手段）６Ｃは、ユニット建物外観７や外構及び周囲の環境に合わせるための塀１２ａ等の外構（環境部品の一部）やプランター，植木等の環境部品を多数有する。そして、これらの環境部品は、マウス３やキーボード４等により選択して、図１（ｃ）のようにモニター２の敷地図上にユニット建物外観７及び外構（パーゴラ８，バルコニー９，車庫１０，ポーチ１１等）に重ねて配置できるようになっている。
【００１６】
また、建物用外観部品（建物ユニット図）には規格化されたものを用いることで、演算制御回路１ａはモニター２に表示されたユニット建物外観７に対する外構（パーゴラ８，バルコニー９，車庫１０，ポーチ１１，塀１２ａ等）の寸法を自動的に算出できるようになっている。
【００１７】
しかも、演算制御回路１ａは、パーゴラ８，バルコニー９，車庫１０，ポーチ１１，塀１２ａ等の外構の寸法が算出されると、この外構を構成する外構部材の寸法を算出するようになっている。
[作用]
次に、このような構成の都度設計生産システムの作用を説明する。
【００１８】
都度設計生産システムのパソコン１の電源をＯＮさせ、都度設計生産プログラム（都度設計手段）６を起動させると、パソコン１の演算制御回路１ａは先ずユニット建物の外観を構築するための多数の建物ユニットの絵（図）をモニター２上に表示させる。
【００１９】
この状態で設計者は、顧客の要望に基づいてマウス３やキーボード４等を操作し、モニター２上にユニット建物の外観を構築するための多数の建物ユニットの絵（図）から必要な建物用外観部品を選択して、選択した建物用外観部品を組み立てて図１（ａ）に示したようなユニット建物外観７を作図する。
【００２０】
この図１（ａ）では、バルコニー９やポーチ１１が基本的な外構として図示されているが、このバルコニー９やポーチ１１を除けば図４に斜視図で示したようなユニット建物外観７の正面からの絵が得られる。
【００２１】
このユニット建物外観７は、図４に示したように、並設された１階（下階）の建物ユニット１ＦＵ１，１ＦＵ２，１ＦＵ３と、これらの建物ユニット１ＦＵ１，１ＦＵ２，１ＦＵ３上に積層された２階（上階）の建物ユニット２ＦＵ１，２ＦＵ２，２ＦＵ３を有する。そして、建物ユニット１ＦＵ１の正面には玄関ドアＤが設けられている。また、建物ユニット２ＦＵ１，２ＦＵ２，２ＦＵ３上には屋根ユニットＲＵが取り付けられている。
【００２２】
ＣＬＰ１は建物ユニット１ＦＵ１と２ＦＵ１との接合部（接合ライン即ち組み付けライン）、ＣＬＰ２は建物ユニット１ＦＵ２と２ＦＵ２との接合部（接合ライン即ち組み付けライン）、ＣＬＰ３は建物ユニット１ＦＵ３と２ＦＵ３との接合部（接合ライン即ち組み付けライン）である。
【００２３】
また、ＣＬＶ１は建物ユニット１ＦＵ１と１ＦＵ２との接合部（接合ライン即ち組み付けライン）、ＣＬＶ２は建物ユニット１ＦＵ２と１ＦＵ３との接合部（接合ライン即ち組み付けライン）、ＣＬＶ３は建物ユニット２ＦＵ１と２ＦＵ２との接合部（接合ライン即ち組み付けライン）、ＣＬＶ４は建物ユニット２ＦＵ２と２ＦＵ３との接合部（接合ライン即ち組み付けライン）である。
【００２４】
尚、ユニット建物外観７は、予め組み立てられた多数のユニット建物の外観の部品から選択することもできる。
【００２５】
このユニット建物外観７の作図を終了させると、演算制御回路１ａは、門，塀，パーゴラ，回廊，ポーチ，バルコニー，車庫等の外構用部品をユニット建物外観７の側方に位置させて表示させる。
【００２６】
設計者は、この外構用部品から必要なものをマウス３やキーボード４等を介して選択し、選択した外構用部品を図１（ｂ）に示したようにユニット建物外観７に重なるように配置する。例えば、図１（ｂ）に示したようにパーゴラ８，バルコニー９，車庫１０，ポーチ１１等の外構（図７参照）をユニット建物外観７に重ねて配置する。
【００２７】
この際、図１（ａ）のバルコニー９の形状を図１（ｂ）のような形状にする。この図１（ｂ）のバルコニー９は、図５に示したように前側が左右の支柱９ａ，９ｂにより支持されている。また、バルコニー９は、後部側が建物ユニット１ＦＵ３と２ＦＵ３及び１ＦＵ２と２ＦＵ２の右端部に跨って配設されていると共に、建物ユニット１ＦＵ２と２ＦＵ２及び１ＦＵ３と２ＦＵ３に固定されている。しかも、バルコニー９は、ユニット建物外観７の正面の右端から右側に突出するように配設されている。
【００２８】
これにより、ユニット建物外観７の正面における建物ユニット１ＦＵ３と２ＦＵ３との接合部ＣＬＰ３全体及び接合部ＣＬＰ２，ＣＬＰ３，ＣＬＶ２，ＣＬＶ４との交差部付近が見えないようになっている。
【００２９】
さらに、ポーチ１１は、左右の支柱１３，１３と、支柱１３，１３に前側の左右両端部が支持された庇１４を有する。この庇１４は後端部が２階の建物ユニット２ＦＵ１の下端部に取り付けられている。しかも、庇１４は、右端部が接合部ＣＬＶ３の下端部を覆うと共に、左端部がユニット建物外観７の左端部から左方に僅かに突出させられている。
【００３０】
ユニット建物外観７の正面における建物ユニット１ＦＵ１と２ＦＵ１との接合部ＣＬＰ１全体及び接合部ＣＬＰ１，ＣＬＰ２，ＣＬＶ１，ＣＬＶ３との交差部付近が見えないようになっている。
【００３１】
このような構成により、ユニット建物外観７は、正面から見た外観が複数の箱形の建物ユニット１ＦＵ１〜１ＦＵ３，２ＦＵ１〜２ＦＵ３を並設及び積層しているにも拘わらず、画一感を感じさせないようになると共に、敷地とのフィット感が向上する。
【００３２】
また、図１（ｂ）のようにポーチ１１の側方にポーチ１１より低い車庫１０を隣接配置したり、バルコニー９の側方にバルコニー９より低いパーゴラ８を隣接配置することで、外観形成上でのバリエーションが増えるので、更にユニット建物外観７との組み合わせの外観が向上し、より画一感を感じさせないようになると共に、より敷地とのフィット感が向上する。
【００３３】
尚、バルコニー９は図５に示したようにユニット建物外観７の右側面側に連なるように設けることもできる。この場合、ユニット建物外観７の右側面における接合部ＣＬＰ３全体を覆うようにすると良い。また、図５に示したように、ユニット建物外観７の左左側面にポーチ１１に連なるバルコニー９′を設けて、図４に示したユニット建物外観７の側面におけるユニット建物１ＦＵ１と２ＦＵ１との接合部ＣＬＰ１を完全に覆うようにすることもできる。
【００３４】
この構成の場合には、ユニット建物外観７は、正面及び左右の側面から見た外観が複数の箱形の建物ユニット１ＦＵ１〜１ＦＵ３，２ＦＵ１〜２ＦＵ３を並設及び積層しているにも拘わらず、画一感を感じさせないようになると共に、敷地とのフィット感が向上する。
【００３５】
また、図６に示したように、図５のバルコニー９は図６のようなパーゴラ８に代えることもできる。この場合の取付の条件はバルコニー９と同じである。この場合も、ユニット建物外観７は、正面及び左右の側面から見た外観が複数の箱形の建物ユニット１ＦＵ１〜１ＦＵ３，２ＦＵ１〜２ＦＵ３を並設及び積層しているにも拘わらず、画一感を感じさせないようになると共に、敷地とのフィット感が向上する。
【００３６】
このような外構の配置を終了させると、演算制御回路１ａは、ユニット建物外観７や外構及び周囲の環境に合わせるための図７の門１２，塀１２ａ等の外構（環境部品の一部）やプランター，植木等の環境部品（図示せず）をユニット建物外観７の側方に位置させて表示させる。設計者は、この門１２，塀１２ａ等の外構やプランター，植木等の環境部品から必要なものを選択して、選択した環境部品をユニット建物外観７に重ねて配置する。例えば、図１（ｃ）に示したように、塀１２ａをユニット建物外観７に重ねて配置する。
【００３７】
この環境部品の配置を終了させると、演算制御回路１ａは、ユニット建物外観７と外構（例えば、パーゴラ８，バルコニー９，車庫１０，ポーチ１１等の）との寸法比を求め、この求めた寸法比とユニット建物外観７に用いられる建物ユニット１ＦＵ１〜１ＦＵ３，２ＦＵ１〜２ＦＵ３の寸法データから外構（例えば、パーゴラ８，バルコニー９，車庫１０，ポーチ１１等）の寸法を自動的に求める。
【００３８】
尚、図８〜図１０は、上述したような手順によりユニット建物外観７とポーチ１１とを組み合わせたデザインを用いて、設計した場合を示したものである。
【００３９】
ポーチ１１は、図８に示したように支柱（外構部材）１３と庇（外構部材）１４とをそれぞれ自動設計する。この際、演算制御回路１ａは、図１（ａ）〜図１（ｃ）のユニット建物外観７とポーチ１１との寸法比を求め、この求めた寸法比とユニット建物外観７に用いられる建物ユニット（図示せず）寸法データからポーチ１１の寸法を自動的に求める。
【００４０】
この際、演算制御回路１ａは、支柱１３の場合、例えば支柱１３を構成する支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等を自動設計する。この際、支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等は、ユニット建物に用いる壁パネルと同じ材料を用いて設計する。
【００４１】
このようにして設計した各支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等の設計データは、演算制御回路１ａから生産工場の通信端末５に送信される。
【００４２】
そして、生産工場では、この設計データに基づいて各支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃ等をユニット建物に用いる壁パネルと同じ材料を用いて製造し、この製造した各支柱パネル（外構部材用パネル）１３ａ，１３ａ、１３ｂ，１３ｂや、支柱パネル１３ｂ，１３ｂ間の間隔を保持させる多数のスペーサ用パネル（外構部材用パネル）１３ｃを図９に示したように組立てて支柱１３とすると共に、組み立てた支柱１３に塗装を施して養生させる。
【００４３】
また、庇（外構部材）１４は、図示しない複数枚の庇パネル（外構部材用パネル）を用いて形成する。この庇パネルは、ユニット建物に用いる天井パネルと同じ材料を用いて設計する。この複数枚の庇パネルの設計データも演算制御回路１ａから生産工場の通信端末５に送信される。そして、この複数枚の庇パネルも生産工場でユニット建物に用いる天井パネルと同じ材料を用いて製造して、この製造した庇パネルを組み立てて庇１４とすると共に、組み立てた庇１４に塗装を施して養生させる。
【００４４】
また、ポーチ１１の支柱１３や庇１４と同様にユニット建物１５に合わせてバルコニー９及びその支柱９ａ，９ｂ等の外構部材を自動設計させる。そして、この自動設計した設計データを演算制御回路１ａから生産工場の端末５に送信して、この設計データに基づいてバルコニー９をポーチ１１と同様に生産工場で製造する。
【００４５】
このようにして組み立てた支柱１３や、同様にして組み立てた庇１４等のポーチ１１の外構部材を図９に示したように大型トラックＴＲ等で建築現場に配送する。同様に図１（ｂ）のバルコニー９やその支柱９ａ，９ｂ等の外構部材も大型トラックでＴＲ建築現場に配送する。また、箱形の建物ユニット１ＦＵ１〜１ＦＵ３，２ＦＵ１〜２ＦＵ３及び屋根ユニットＲＵも同様に大型トラックＴＲで建築現場に配送する。
【００４６】
そして、建築現場においては、配送された建物ユニット１ＦＵ１〜１ＦＵ３を並設すると共に、この建物ユニット１ＦＵ１〜１ＦＵ３上に建物ユニット２ＦＵ１〜２ＦＵ３を積層し、この建物ユニット２ＦＵ１〜２ＦＵ３上に屋根ユニットＲＵを載せて固定することにより、図１（ｂ），図１（ｃ）に示したユニット建物外観７と同様なユニット建物１５（説明の便宜上、ユニット建物外観７と同じ図で説明）を構築する。この際、建築現場において、ユニット建物１５を構築する際に、バルコニー９やポーチ１１等の外構を構築する。
【００４７】
この外構の構築に際して、このバルコニー９は、前側を左右の支柱９ａ，９ｂにより支持させる。また、バルコニー９の後部側は、建物ユニット１ＦＵ３と２ＦＵ３及び１ＦＵ２と２ＦＵ２の右端部に跨って配設すると共に、建物ユニット１ＦＵ２と２ＦＵ２及び１ＦＵ３と２ＦＵ３に固定する。しかも、バルコニー９は、ユニット建物１５の正面の右端から右側に突出するように配設する。
【００４８】
これにより、ユニット建物１５の正面における建物ユニット１ＦＵ３と２ＦＵ３との接合部ＣＬＰ３全体及び接合部ＣＬＰ２（図４参照），ＣＬＰ３，ＣＬＶ２，ＣＬＶ４との交差部付近が見えないようになる。
【００４９】
さらに、ポーチ１１は、庇１４の後端部を２階の建物ユニット２ＦＵ１の下端部に取り付ける。この際、庇１４の右端部により接合部ＣＬＶ３の下端部を覆わせると共に、庇１４の左端部をユニット建物１５の左端部から左方に僅かに突出させる。また、庇１４の前側の左右両端部を支柱１３，１３により敷地に支持させる。
【００５０】
これによりユニット建物１５の正面における建物ユニット１ＦＵ１と２ＦＵ１との接合部ＣＬＰ１全体及び接合部ＣＬＰ２（図４参照），ＣＬＶ１，ＣＬＶ３との交差部付近が見えないようになる。
【００５１】
このような構成により、ユニット建物１５は、正面から見た外観が複数の箱形の建物ユニット１ＦＵ１〜１ＦＵ３，２ＦＵ１〜２ＦＵ３を並設及び積層しているにも拘わらず、画一感を感じさせないようになると共に、敷地とのフィット感が向上する。
【００５２】
尚、ユニット建物１５の外構（外構部材）として、バルコニー９やポーチ１１以外にパーゴラ８，車庫１０等がある場合には、ポーチ１１の支柱１３や庇１４と同様にユニット建物１５に合わせてパーゴラ８，車庫１０等を自動設計させる。そして、この自動設計した設計データを演算制御回路１ａから生産工場の端末５に送信して、この設計データに基づいてパーゴラ８，車庫１０等をポーチ１１と同様に生産工場で製造して、建築現場に配送して構築する。
【００５３】
このパーゴラ８にはユニット建物１５（後述）の壁パネルや天井パネルと同じ材料のパネルが用いられ、バルコニー９や車庫１０にはユニット建物１５（後述）の壁パネルや床パネルと同じ材料のパネルが用いられる。尚、図示は省略したが門や塀にはユニット建物１５（後述）の壁パネルと同じ材料のパネルが用いられる一方、回廊にはユニット建物１５（後述）の壁パネルや天井パネルと同じ材料のパネルが用いられる。
【００５４】
また、ポーチ１１の側方にポーチ１１より低い車庫１０を隣接配置したり、バルコニー９の側方にバルコニー９より低いパーゴラ８を隣接配置することで、外観形成上でのバリエーションが増えるので、更にユニット建物外観７との組み合わせの外観が向上し、より画一感を感じさせないようになると共に、より敷地とのフィット感が向上する。
【００５５】
尚、ユニット建物１５を構成する複数又は多数の建物ユニット１ＦＵ１〜１ＦＵ３，２ＦＵ１〜２ＦＵ３及び屋根ユニットＲＵは工場等で製造されて大型車両で建築現場において分解可能に組み立てられているので、この建物ユニットからなるユニット建物１５は移築に適している。
【００５６】
そして、このユニット建物１５を建物ユニット１ＦＵ１〜１ＦＵ３，２ＦＵ１〜２ＦＵ３及び屋根ユニットＲＵに分解して別建設敷地に移築する際には、ポーチ１１も支柱１３と庇１４に分解して移築する。この際、別建設敷地の広さや環境が変わるために、ユニット建物１５の外観が変わる場合には上述したような手順で外構を再度設計して製造する。
【００５７】
尚、上述したパネル製の外構（外構部材）は、ユニット建物（建物本体）１５から左右に大きく突出していて、建物ユニット間の接合部（継ぎ目）が見えないようになっているか、ユニット建物（建物本体）１５の全周囲と全高さそれぞれで不連続となっていても、建物ユニット間の接合部（継ぎ目）が部分的に見えないようになっていても、ユニット建物（建物本体）１５が複数の建物ユニットのみからなるために生ずるデザインの画一化や敷地形状とのフィット感が得られないような事態は回避できる。また、パネル製の外構（外構部材）は、ユニット建物（建物本体）１５から左右に離れていても、ユニット建物（建物本体）１５に隣接配置することにより、ユニット建物（建物本体）１５が複数の建物ユニットのみからなるために生ずるデザインの画一化や敷地形状とのフィット感が得られないような事態は回避できる。
（変形例１）
尚、バルコニー９は図５に示したようにユニット建物外観７の右側面側に連なるように設けることもできる。この場合、ユニット建物外観７の右側面における接合部ＣＬＰ３全体を覆うようにすると良い。また、図５に示したように、ユニット建物外観７の左左側面にポーチ１１に連なるバルコニー９′を設けて、図４に示したユニット建物外観７の側面におけるユニット建物１ＦＵ１と２ＦＵ１との接合部ＣＬＰ１を完全に覆うようにすることもできる。
【００５８】
この構成の場合には、ユニット建物外観７は、正面及び左右の側面から見た外観が複数の箱形の建物ユニット１ＦＵ１〜１ＦＵ３，２ＦＵ１〜２ＦＵ３を並設及び積層しているにも拘わらず、画一感を感じさせないようになると共に、敷地とのフィット感が向上する。
（変形例２）
また、図６に示したように、図５のバルコニー９は図６のようなパーゴラ８に代えることもできる。この場合の取付の条件はバルコニー９と同じである。この場合も、ユニット建物外観７は、正面及び左右の側面から見た外観が複数の箱形の建物ユニット１ＦＵ１〜１ＦＵ３，２ＦＵ１〜２ＦＵ３を並設及び積層しているにも拘わらず、画一感を感じさせないようになると共に、敷地とのフィット感が向上する。
（変形例３）
上述したようにしてデザインされた他の例としては、図１１（ａ），図１１（ｂ）に示したようなものがある。この図１１（ａ）のユニット建物１５の南正面には、バルコニー９，車庫１０，ポーチ１１等の外構がユニット建物１５と一体となるようにデザインされている。この南庄面の配置は上述した例と同様である。また、この図１１（ｂ）のユニット建物１５の東立面には、バルコニー９，９がユニット建物１５と一体となるようにデザインされている。この際、バルコニー９，車庫１０，ポーチ１１等の外構はユニット建物の壁の色彩や形状に合う設計がされている。
（参考例１）
また、図１２に示したように敷地が広く不定形な広大（異形）敷地Ｓにユニット建物１５を構築する場合、広大敷地Ｓの多数のコーナーに概略的な意味付けをするマーク１６を施して、上述したようなデザイン及び製造をし、これに基づいてユニット建物１５や外構を構築することもできる。
（参考例２）
また、狭小敷地の場合には、図１３に示したように、ユニット建物１５とポーチ１１を組み合わせた寸法納めの構え作りのデザインとすることもできる。この場合、ユニット建物１５の正面左側に左端の角を覆うように樹木Ｔを配設することで建物ユニット１ＦＵ１と２ＦＵ２との接合部ＣＬＰ１の左端を覆うと共に、ユニット建物１５の正面右側にポーチ１１が一部側方に突出するように配設することで、建物ユニット１ＦＵ１と２ＦＵ２との接合部（図示せず）の右端を覆うようにする。これらにより、ユニット建物１５の正面から見たときの画一感を無くして外観を向上させている。
（参考例３）
更に、図１４に示したように敷地の北側が道路に接する北接道敷地の場合、ユニット建物１５の左前にバルコニー９を配置し、このバルコニー９の前に車庫１０を配置すると共に、車庫１０と塀１２ａとの間に門１２を配置するような構えとすることができる。この場合、バルコニー９で一階の建物ユニット（図示せず）と２階の建物ユニット２ＦＵ１との接合部（図示せず）を覆うことで、ユニット建物１５の左側の画一感を無くすと共に、バルコニー９の前に車庫１０を配置することで、ユニット建物１５の正面左側の外観を向上させている。また、ユニット建物１５の正面右側に右端の角を覆うように樹木Ｔを配設することで建物ユニット１ＦＵ３と２ＦＵ３との接合部ＣＬＶ４の左端を覆うことにより、ユニット建物１５の正面から見たときの画一感を無くして外観を向上させている。
（参考例４）
また、図１５に示したように、ユニット建物１５の左側の部分の１階，２階の部分に広く同じような窓１７，１８を設けた縦系と、建物ユニット１ＦＵ１，１ＦＵ３の略中央に配置したポーチ１１と、ユニット建物１５に右側に配置したパーゴラ８を窓１７と略同じ高さに設定した横系とを設けることで、スマートで重厚感のある設計ができる。
【００５９】
このポーチ１１の庇１４は建物ユニット１ＦＵ２と２ＦＵ２との接合部（図示せず）を隠す（覆う）ように配設されている。しかも、パーゴラ８は、ユニット建物１５の右側の角から側方に突出していると共に、建物ユニット１ＦＵ３と２ＦＵ３との接合部ＣＬＰ３を隠す（覆う）ように接合部ＣＬＰ３より僅かに上方に突出している。
【００６０】
このような建物ユニット１５の左側の窓１７，１８を設けた縦系や建物ユニット１５の右側のパーゴラ８及びポーチ１１等の配置は、ユニット建物１５を正面から見たときに外観に変化を持たせているので、ユニット建物１５を正面から見たときの画一感を無くして外観を向上させている。
（その他１）
以上説明したように、この発明の実施の形態のユニット建物及び外構の外観構築方法は、複数の建物ユニット（１ＦＵ１〜１ＦＵ３，２ＦＵ１〜２ＦＵ３）を並設及び積層して建物（ユニット建物１５）を構築する際に、前記建物（ユニット建物１５）の正面の少なくとも両側に配設され且つ前記正面の両端から側方に突出するパネル製の外構部材（バルコニー９，ポーチ１１，パーゴラ８等）により前記建物の下階と上階との接合部（ＣＬＰ１、ＣＬＰ３）を隠すようにしている。
【００６１】
この構成によれば、少なくとも建物（ユニット建物１５）の正面から見た外観（外部デザイン）に画一感が生じないので、建物（ユニット建物１５）と敷地形状とのフィット感が向上する。
（その他２）
尚、上述したように少なくともユニット建物と同じデザイン、又は少なくともユニット建物１５と略同じデザインの外構部材（例えば、支柱１３，庇１４）を用意しておいて、前記ユニット建物１５を構築する際に、前記外構部材（例えば、支柱１３，庇１４）を用いて前記ユニット建物１５に合う外構（例えばポーチ１１）を建設敷地に建設すると良い。
【００６２】
この方法によれば、建物ユニットを用いてユニット建物を建築する際、ユニット建物に対する外構のデザインに一体性を持たせることができる。尚、この場合のユニット建物の建築には、新築及び移築（再建設）も含まれる。
【００６３】
また、前記ユニット建物１５及び外構（例えば、ポーチ１１）を分解して別建設敷地に移築する際に、前記外構部材（例えば、支柱１３，庇１４）は前記別建設敷地と前記ユニット建物とに合うものを再選択すると良い。
【００６４】
この方法によれば、ユニット建物を建物ユニットに分解して移築する際に、外構部材は移築されるユニット建物と別建設敷地にあうものを選択するので、移築先でも建物・外構一体のデザインを可能にできる。
【００６５】
更に、前記ユニット建物１５を形成する建物用部材（壁パネル，天井パネル，床パネル等）と同じ部材を用いて前記外構（ポーチ１１）に用いる外構部材（例えば、支柱１３，庇１４）を形成すると良い。
【００６６】
このようにユニット建物を形成する建物用部材と同じ部材を用いて前記外構に用いる外構部材を形成するようにしたので、材料の共通化、デティールの共通化，生産設備の共通化，生産方法の共通化が図れる。しかも、外構部材の生産設備も建物ユニットの生産設備を利用することができるので、外構部材を生産するための設備も別途設ける必要がない。この結果、外構部材の塗装も建物ユニットの生産設備を利用して行うことができる。また、この外構部材を用いた外構の施工技術も建物ユニットを用いたユニット建物の施工技術と同じ技術を適用することができるので、ユニット建物を施工する業者が建物ユニットを用いてユニット建物を施工する際に、外構部材を用いて外構を簡易且つ迅速に組み立てることができる。
【００６７】
また、前記建物用部材は建物用パネル（図示しない壁パネル，天井パネル，床パネル等）とし、前記外構部材は前記建物用パネル（図示せず）と同じ部材から形成される外構部材用パネル（支柱パネル１３ａ，１３ａ、１３ｂ，１３ｂや、スペーサ用パネル１３ｃ）とする。
【００６８】
このように外構部材は建物用パネルと同じ部材から形成される外構部材用パネルとしているので、建物用パネルの材料を用いて外構用パネルを予め工場等で簡易に製造できる。
【００６９】
また、前記建物用パネルは壁パネル（図示せず）であり、前記外構部材用パネルは前記壁パネルと同じ部材から形成される門用パネル又は塀用パネル（図示せず）である。この方法によれば、外構部材用パネルは壁パネルと同じ部材から形成される門用パネル又は塀用パネルとしたので、建物用パネルの材料を用いて外構用パネルを予め工場等で簡易に製造できる。
【００７０】
また、建物用パネルは壁パネル又は天井パネルであり、前記外構部材用パネルは前記壁パネル又は天井パネルと同じ材料から形成されるパーゴラ用パネル（図示せず）又は回廊用パネル（図示せず）若しくはポーチ用パネル（図示せず）である。この方法によれば、外構部材用パネルは壁パネル又は天井パネルと同じ材料から形成されるパーゴラ用パネル又は回廊用パネル若しくはポーチ用パネルとしたので、パーゴラ用パネル又は回廊用パネル若しくはポーチ用パネルを予め工場等で簡易に製造できる。
【００７１】
更に、建物用パネルは壁パネル（図示せず）又は床パネル（図示せず）であり、前記外構部材用パネルは前記壁パネル又は床パネルと同じ材料から形成されるバルコニー用パネル（図示せず）又は車庫用パネル（図示せず）である。この方法によれば、外構部材用パネルは壁パネル又は床パネルと同じ材料から形成されるバルコニー用パネル又は車庫用パネルとしたので、予め工場等で簡易に製造できる。
【図面の簡単な説明】
【００７２】
【図１】（ａ）はデザイン手段によりデザインされたユニット建物の外観図、（ｂ）はデザイン手段によりデザインされたユニット建物とこの発明に係る外構との関係を示す外観図、（ｃ）はデザイン手段によりデザインされたユニット建物と外構に環境部品を配置した外観図である。
【図２】この発明に係るユニット建物及び外構の構築方法に用いる都度設計生産システムのブロック図である。
【図３】図２の都度設計生産システムに用いるデザイン手段の説明図である。
【図４】図３の外構を除いた状態のユニット建物の斜視図である。
【図５】図４のユニット建物に外構を構築した状態の斜視図である。
【図６】図５の外構の一部を代えた例を示す斜視図である。
【図７】（ａ）〜（ｄ）は、この発明に係る外構の一例を示す説明図である。
【図８】図２の演算制御回路により設計される外構の一例を示した説明図である。
【図９】図８の外構の製造と配送とを示す説明図である。
【図１０】図９の外構を建築現場で組み立てる際の説明図である。
【図１１】ユニット建物と外構との一例を示す説明図である。
【図１２】ユニット建物と外構との他の例を示す説明図である。
【図１３】ユニット建物と外構との他の例を示す説明図である。
【図１４】ユニット建物と外構との他の例を示す説明図である。
【図１５】ユニット建物と外構との他の例を示す説明図である。
【符号の説明】
【００７３】
８…パーゴラ（外構）
９…バルコニー（外構）
１０…車庫（外構）
１１…ポーチ（外構）
１２…門（外構）
１２ａ…塀（外構）
１３…支柱（外構部材）
１３ａ，１３ｂ…支柱パネル（外構部材用パネル）
１３ｃ…スペーサ用パネル（外構部材用パネル）
１４…庇（外構部材）
１５・・・ユニット建物
【図２】
2008095360.tif 000003
【図３】
2008095360.tif 000004
【図４】
2008095360.tif 000005
【図５】
2008095360.tif 000006
【図６】
2008095360.tif 000007
【図７】
2008095360.tif 000008
【図１】
2008095360.tif 000009
【図８】
2008095360.tif 000010
【図９】
2008095360.tif 000011
【図１０】
2008095360.tif 000012
【図１１】
2008095360.tif 000013
【図１２】
2008095360.tif 000014
【図１３】
2008095360.tif 000015
【図１４】
2008095360.tif 000016
【図１５】
2008095360.tif 000017